(57)【特許請求の範囲】
【請求項１】
浴室の壁面に組み付けられその前面にミラーが取り付けられる浴室のミラーパネルであって、
幅方向の中央部分に窪み部を有しその両側に張出部を有するパネル本体の窪み部に所定高さの取付部が一体形成され、該取付部を利用してミラーがパネル本体の前面から所定高さ浮いた状態で取り付けられていることを特徴とする浴室のミラーパネル。
【請求項２】
前記パネル本体は、表面形状が平面視で略円弧形状に形成されていることを特徴とする請求項１に記載の浴室のミラーパネル。
【発明の詳細な説明】
【０００１】
【発明の属する技術分野】
本発明は、例えばシステムバスルーム等の浴室の洗い場側の壁面に組み付けられ、その前面にミラー等が取り付けられる浴室のミラーパネルに関する。
【０００２】
【従来の技術】
従来、この種のミラーパネルとしては、例えば特許文献１に示すものが知られている。このミラーパネルは、幅方向の両端部に張出部を設けると共に幅方向の略中央部分に窪み部を設け、反浴槽側の張出部に収納棚を一体形成し、窪み部の浴槽側にミラーを直接傾斜状態で取り付けるようにしたものである。
【０００３】
【特許文献１】
特開２００１−３５２４５号公報
【０００４】
【発明が解決しようとする課題】
しかしながら、この特許文献１に開示のミラーパネルにあっては、ミラーが窪み部の浴槽側に洗い場に向けて傾斜した状態でかつ窪み部に直接取り付けられているため、ミラーの傾斜角度によってミラーに見易さが得られるものの、ミラーが窪み部内に位置した状態となり、洗い場に座っている入浴者に対してミラーの位置が遠くなり、ミラーの使い勝手を十分に向上させることが難しいという問題点を有している。
【０００５】
また、ミラーパネルの幅方向の反浴槽側端部に収納棚が一体形成されているものの、収納棚の棚板の面積が限定されて十分な収納量を確保することが困難であると共に、ミラーパネルに対する収納棚の位置が正面視で右側に特定化されて、ミラーパネルの左側に浴槽が位置するレイアウトの浴室には適用できるものの、浴槽がミラーパネルの右側に位置するレイアウトの浴室には適用できないという問題点を有している。
【０００６】
本発明は、このような事情に鑑みてなされたもので、その目的は、ミラーを入浴者に近い位置に容易に取り付けできてその使い勝手を十分に向上させ得る浴室のミラーパネルを提供することにある。また、他の目的は、前記目的に加え、収納棚の棚板の面積を拡げてその使い勝手を向上させたり、収納棚を有した状態でもこの収納棚の位置等の各種レイアウトの浴室に容易に適用し得る浴室のミラーパネルを提供することにある。
【０００７】
【課題を解決するための手段】
かかる目的を達成するために、本発明のうち請求項１に記載の発明は、浴室の壁面に組み付けられその前面にミラーが取り付けられる浴室のミラーパネルであって、幅方向の中央部分に窪み部を有しその両側に張出部を有するパネル本体の窪み部に所定高さの取付部が一体形成され、該取付部を利用してミラーがパネル本体の前面から所定高さ浮いた状態で取り付けられていることを特徴とする。また、請求項２に記載の発明は、前記パネル本体の表面形状が平面視で略円弧形状に形成されていることを特徴とする。
【０００８】
このように構成することにより、浴室の例えば洗い場側の壁面に一体的に組み付けられ両側に張出部を有するミラーパネルのパネル本体の窪み部には、所定高さの取付部が一体形成され、この取付部にミラーが取り付けられる。これにより、パネル本体に一体形成された取付部にミラーを取り付けるだけで、取付部の高さ分ミラーをパネル本体から浮かせた状態で取り付けでき、取付作業が容易に行えると共に、ミラーの位置を洗い場の入浴者に近い位置に設定できて、ミラーの使い勝手の十分な向上が図れる。
【０００９】
【発明の実施の形態】
以下、本発明の実施の形態を図面に基づいて詳細に説明する。
図１〜図６は、本発明に係わる浴室のミラーパネルの一実施形態を示し、図１が該ミラーパネルを使用した浴室内部の斜視図、図２がミラーパネルの正面図、図３がその断面図、図４がパネル本体の斜視図、図５が取付部の拡大斜視図、図６がパネル本体の他の使用形態を示す斜視図である。
【００１０】
図１において、浴室１は、平面視略方形状の防水パンの周囲を取り囲むように組み付け配置された４枚の壁パネル２ａ〜２ｄ（壁パネル２ｄは図示せず）と、この壁パネル２ａ〜２ｄの上部に組み付け配置された例えばドーム形状の天井パネル３とによって略箱状に形成されている。そして、防水パン上の壁パネル２ａ側には、浴槽４が設置されると共に、この浴槽４の反壁パネル２ａ側の防水パン上には洗い場５が設けられている。
【００１１】
また、洗い場５の壁パネル２ｂ側にはカウンター６が配置され、このカウンター６の上方の壁パネル２ｂには、ミラーパネル７が一体的に組み付けられている。このミラーパネル７には、例えば楕円形状のミラー８、吐水口９ａを有する水栓操作部９、水栓本体１０、ダウンライト等からなる浴室照明装置１２、複数枚の棚板１４、１５を有する収納棚１３等が組み込まれている。
【００１２】
すなわち、ミラーパネル７は、図２〜図４に示すように、樹脂成形によって正面視縦長の長方形状に形成されたパネル本体７ａを有し、該パネル本体７ａの幅方向の両端部には前方に所定高さ張り出した張出部１７ａ、１７ｂが一体形成されると共に、幅方向の中央部分には窪み部１８が一体形成されて、その表面形状が平面視で略円弧形状に形成されている。また、パネル本体７ａの幅方向中央部分には、上下方向に沿って所定間隔で複数（図では５枚）の取付部１９ａ〜１９ｅがパネル本体７ａの成形時に一体形成されている。
【００１３】
この取付部１９ａ〜１９ｅは、それぞれ水平な所定板厚を有する平板状で同一高さに形成され、最上端と最下端に同一形状の取付部１９ａ、１９ｅが形成されると共に、これら取付部１９ａ、１９ｅの間に前記収納棚１３の棚板１４として機能する３枚の同一形状の取付部１９ｂ〜１９ｄが一定間隔で形成されている。つまり、合計５枚の取付部１９ａ〜１９ｅのうち中央の取付部１９ｃが、パネル本体７ａの上下方向（高さ方向）における中心線２７ａ（図４参照）の線上に設定され、この取付部１９ｃから、上下方向に同じ間隔寸法で取付部１９ｂ、１９ｄと取付部１９ａ、１９ｅが形成されることにより、上下方向における中心線２７ａに対し、各取付部１９ａ〜１９ｅが対称位置に形成されている。
【００１４】
そして、５枚の取付部１９ａ〜１９ｅのうち、上方の４枚の取付部１９ａ〜１９ｄがミラー取付用として使用され、図３に示すように、例えば各取付部１９ａ〜１９ｅの先端面に形成されたネジ孔に、ミラー取付板２０がネジ２１で固定されている。このミラー取付板２０に、取付金具２２の凹溝をミラー８の例えば外周縁に係合させることにより、ミラー８がミラー取付板２０を介してパネル本体７ａの取付部１９ａ〜１９ｄに取り付けられている。なお、このミラー８の取付部１９ａ〜１９ｄへの取付構造は、この例に限定されず、例えばミラー係合部が一体形成されたミラー取付板２０を使用したり、ミラー取付板２０を４つの取付部１９ａ〜１９ｄの全てにネジ固定することなく、例えば最上端の取付部１９ａと取付部１９ｄのみにネジ固定する等、他の適宜の取付構造を採用することができる。
【００１５】
また、収納棚１３の棚板１４を兼用する３枚の取付部１９ｂ〜１９ｄは、図５に示す（図５では取付部１９ｂのみ示す）ように、その上面側の幅方向の左端部上面（及び下面側の左端部下面）に略垂直方向に所定寸法突出した落下防止壁２３ａ（及び落下防止壁２３ｂ）が一体形成されると共に、この落下防止壁２３ａ（及び落下防止壁２３ｂ）の後部には、取付部１９ｂ〜１９ｄ上の水を側方に流し落とす排水溝２４ａ（及び排水溝２４ｂ）が形成されている。さらに、取付部１９ｂ〜１９ｄの幅方向の右端部上面（及び右端部下面）には、所定高さの段差からなる係合部２５ａ（及び係合部２５ｂ）が一体形成されている。
【００１６】
これらの落下防止壁２３ａ、２３ｂや排水溝２４ａ、２４ｂ及び係合部２５ａ、２５ｂによって、取付部１９ｂ〜１９ｄが上下方向における中心線２７ａに対し対称形状に設定され、前述した取付部１９ａ〜１９ｅの上下方向における対称位置への形成と併せ、パネル本体７ａをその幅方向及び高さ方向の中心位置２６を中心に垂直面内で図４の矢印イ方向に１８０度回転させた場合に、正面から視認した際の取付部１９ａ〜１９ｅの位置が同一位置に設定されると共に、左右方向における中心線２７ｂに対し対称形状に設定されるようになっている。
【００１７】
そして、このように形成された取付部１９ｂ〜１９ｄの例えば係合部２５ａ上には、前記収納棚１３の各棚板１４の一端部１４ａが載置係合されて、棚板１４の上面と各取付部１９ｂ〜１９ｄの上面とが面一状態に設定されている。これにより、取付部１９ｂ〜１９ｄの上面が棚板１４の機能を兼用することになって、ミラー８裏面に形成される空間２７（図３参照）も収納空間として有効利用され、ミラー８外に形成される各棚板１４による収納空間と合せ、パネル本体７ａの表面に比較的広い収納空間が形成されることになる。
【００１８】
なお、収納棚１３の棚板１４は、例えばガラス板や樹脂板によって薄板状に形成され、その先端部が直線状に形成されると共にその後端部がパネル本体７ａの表面形状に略合致する形状に設定されている。また、各棚板１４は、その一端部１４ａが取付部１９ｂ〜１９ｄの各係合部２５ａにそれぞれ載置された状態とされ、その他端部１４ｂ（図２参照）は、パネル本体７に取り付けられた支持杆２８に支持されている。この時、棚板１４の他端部１４ｂが支持杆２８の軸方向の係合溝に挿脱可能に係合されると共に、支持杆２８の先端に螺合されたロックナットにより各棚板１４の係合溝からの前方への抜けが防止されるようになっている。
【００１９】
一方、５枚の取付部１９ａ〜１９ｅのうち、最下端の取付部１９ｅは水栓操作部取付用及び棚板取付用として使用される。すなわち、図３に示すように、取付部１９ｅの例えば下面に、水栓操作部９の吐水口９ａを形成する配管が取り付け配設され、この吐水口９ａと取付部１９ｅ自体が図示しない操作部を有する吐水カバー２９によって覆われている。また、吐水口９ａを形成する配管はパネル本体７を裏面側に貫通して上方に配管され、ミラー８の下端部裏面に配設されてその左右両側に切換操作部と温度調整部を有する前記水栓本体１０に連結されている。
【００２０】
そして、この取付部１９ｅの上方で取付部１９ｄとの間のパネル本体７ａには、点検カバー３０が着脱可能に配設され、この点検カバー３０を取り外すことにより、水栓本体１０と吐水口９ａへの配管やそのメンテナンスが可能となるように構成されている。この取付部１９ｅと上下方向において対称位置に設けられた取付部１９ａの下部で取付部１９ｂとの間にも着脱可能な点検カバー３０（図４参照）が配設されている。なお、これらの点検カバー３０は、必ずしも必要ではなく、パネル本体７ａに配管用の孔を穿設して配管等することにより、点検カバー３０を省略することも可能である。
【００２１】
また、下端部の取付部１９ａには、その左右端部に収納棚１３の左右２枚の棚板１５が連結されている。この時、２枚の棚板１５の内側端部の取付部１９ａへの連結構造は、前述した前記取付部１９ｂ〜１９ｄと同様の係合部（図示せず）が取付部１９ａの上下面の端部にそれぞれ形成され、この係合部に棚板１５の内側端部が載置係合されるようになっている。そして、この棚板１５の外側端部は、前述した棚板１４と同様に支持杆２８によってパネル本体７ａの張出部１７ａ、１７ｂに着脱可能に支持されている。
【００２２】
これにより、最下端の取付部１９ｅが水栓操作部取付用に使用され、最上端の取付部１９ａがミラー取付用に使用され、この上下端部の取付部１９ａ、１９ｅも、パネル本体７ａの前記中心位置２６を中心に垂直面内で１８０度回転した際に、同一位置に設定されるようになっている。なお、最下端の取付部１９ｅに取り付けられる棚板１５の取付部１９ｅへの連結構造は、以上の例に限定されず、例えば取付部１９ｅに係合部等を設けることなく、左右の棚板１５の内側端部を取付部１９ｅの上面に単に載置させたり、棚板１５を左右に２分割することなく、１枚の棚板１５を使用してこの棚板１５の中間部分を取付部１９ｅに単に載置させる構成とすることもできる。
【００２３】
前記パネル本体７ａの左右の張出部１７ａ、１７ｂには、図４に示すように、略垂直な側面３１ａ、３１ｂが設けられ、この側面３１ａ、３１ｂは、その角部３２のアールが小さく略ピン角となるように設定されている。これにより、側面３１ａ、３１ｂに組み付け配置される壁パネル２ｃ（もしくは壁パネル２ａ）との接続部に大きな隙間が発生しないようになっている。また、図１に示すように、ミラーパネル７には、正面視で左側に位置する浴槽４寄りの張出部１７ａ端部に、例えば下部に曲線部を有するスライドバー３３が上下方向に沿って取り付けられており、このスライドバー３３には、シャワー３４が着脱可能に係止されるシャワーフック３５が上下方向にスライド移動可能に装着されている。
【００２４】
この浴室１のミラーパネル７は、パネル本体７ａの成形時に、張出部１７ａ、１７ｂと窪み部１８が一体形成されると共に、窪み部１８の所定位置に各取付部１９ａ〜１９ｅがそれぞれ一体形成され、この成形されたパネル本体７ａが、浴室１の壁パネル２ｂに適宜の固定手段で固定されることにより壁パネル２ｂに一体的に組み付けられる。そして、このパネル本体７ａに水栓本体１０を取り付け、この水栓本体１０と水栓操作部９とをパネル本体７ａの点検カバー３０を外した状態で配管すると共に、吐水口９ａが取り付けられた取付部１９ｅに吐水カバー２９等を取り付ける。
【００２５】
また、パネル本体７ａの右側の張出部１９ｂの所定位置に支持杆２８を取り付け、この支持杆２８にその一端部１４ａを各取付部１９ｂ〜１９ｄに係合支持させた状態で３枚の各棚板１４の他端部１４ｂをそれぞれ取り付けると共に、下端の取付部１９ｅにその外側端部を支持杆２８で支持させつつ２枚の棚板１５の内側端部をそれぞれ取り付ける。これにより、パネル本体７ａに収納棚１３が形成される。そして、パネル本体７ａに収納棚１３を形成した状態で、取付部１９ａ〜１９ｄに前述したミラー取付板２０や取付金具２２を介して楕円形状のミラー８を取り付ける。
【００２６】
この時、上端の取付部１９ａが楕円形状のミラー８の上部裏面に位置し、取付部１９ｄがミラー８の下部裏面に位置する状態で取り付けられ、各取付部１９ａ〜１９ｄがミラー８の外周縁からはみ出すことがなくミラー８裏に完全に隠れた状態となる。そして、このパネル本体７ａに前記スライドバー３３や浴室照明装置１２等を取り付けることにより、ミラーパネル７が組み立てられる。なお、このパネル本体７ａへの各部材の取り付けは、この例に限定されず他の適宜の取付方法を採用できる。
【００２７】
この壁パネル２ｂに組み付けられたミラーパネル７のミラー８によれば、所定高さの取付部１９ａ〜１９ｄの前面に取り付けられることから、取り付けと同時に、ミラー８をパネル本体７ａの窪み部１８から所定高さ前方である洗い場５方向に浮かせる（入浴者に近づける）ことが可能になる。また、このミラーパネル７は、上下方向における中心線２７ａに対し対称形状に形成されていることから、ミラーパネル７を浴槽４の右側に配置する図１のレイアウトの浴室１には、前述したように設置される。一方、浴槽４がミラーパネル７の右側に位置するレイアウトの浴室１に設置する場合は、パネル本体７を中心位置２６を中心に垂直面内で１８０度回転させて、図６に示す状態にして使用する。
【００２８】
すなわち、パネル本体７ａを１８０度回転させて、左側に収納棚１３を位置させ、この状態でパネル本体７ａの側面３１ｂに壁パネル２ａを当接させる。このレイアウトにおいても、取付部１９ｂ〜１９ｅの下面や落下防止壁２３ｂ（排水溝２４ｂ）及び係合部２５ｂ等を利用して収納棚１３の各棚板１４、１５をそれぞれ取り付けたり、取付部１９ａを利用して水栓操作部９や棚板１５等を取り付けることができる。つまり、取付部１９ａ〜１９ｅを上下方向における中心線２７ａに対して対称形状に形成することで、パネル本体７ａを１８０度回転させた場合に左右方向における中心線２７ｂに対し対称形状となり、一つのミラーパネル７を２つのレイアウトの浴室１に適用できることになる。
【００２９】
このように、上記実施形態のミラーパネル７にあっては、パネル本体７ａにミラー取付用の取付部１９ａ〜１９ｄが一体形成されているため、別部材を使用することなくミラー８を取付部１９ａ〜１９ｄに取り付けるだけで、ミラー８をパネル本体７ａの表面から所定高さ浮かせた状態で簡単に取り付けることができる。特に、ミラーパネル７の幅方向の中心部に窪み部１８が設けられ、この窪み部１８に取付部１９ａ〜１９ｄが所定高さで一体形成されていることから、窪み部１８の各種効果を生かしつつミラー８を洗い場５の入浴者に近づけることができて、ミラー８の使い勝手を十分に向上させることが可能になる。
【００３０】
また、ミラー８を所定高さで取り付ける取付部１９ａ〜１９ｄが水平な平板状に形成されているため、取付部１９ｂ〜１９ｄの上面に棚板１４の機能を持たせることができて、パネル本体７ａの付加価値を高めることができると共に、所定高さの取付部１９ａ〜１９ｄによってミラー８裏面に形成されるデッドスペースとしての空間２７に、棚板１４の機能を持った取付部１９ｂ〜１９ｄが設けられたり棚板１４の一端部１４ａが配置されるため、ミラー８裏面の空間２７を収納空間として有効利用することができる。また同時に、取付部１９ｂ〜１９ｄとこれに連結される棚板１４とによって、比較的広い面積の棚板が形成されるため、収納棚１３への物品の収納量を増大させることができると共に、普段使用しない物品をミラー８裏面の取付部１９ｂ〜１９ｄ近傍に収納して洗い場５等から入浴者に視認され難い状態とすることができる。
【００３１】
また、収納棚１３の棚板１４、１５の端部が取付部１９ｂ〜１９ｅに載置係合されると共に他端部が支持杆２８に着脱可能に支持されているため、棚板１４、１５の交換や清掃等を簡単に行うことができると共に、パネル本体７ａへの組み付けも簡単に行うことができる。また、棚板１４として機能する取付部１９ｂ〜１９ｄの上下面の端部に排水溝２４ａ、２４ｂを有する落下防止壁２３ａ、２３ｂが設けられているため、収納棚１３の棚板１４（及び取付部１９ｂ〜１９ｄ）上に収納した物品の棚板１４（及び取付部１９ｂ〜１９ｄ）上からの落下が防止されると共に、落下防止壁２３ａ、２３ｂの排水溝２４ａ、２４ｂによって棚板１４上の水を下方にスムーズに排水することができ、棚板１４の清潔さを良好に維持することができる。これらのことから、ミラーパネル７に使い勝手と見栄えに優れた収納棚１３を配置することが可能となり、浴室１自体の使い勝手の向上や意匠的価値の一層の向上が図れる。
【００３２】
また、取付部１９ａ〜１９ｅをパネル本体７ａの幅方向の中心部分に一体形成すると共に、これら取付部１９ａ〜１９ｅをパネル本体７ａの上下方向における中心線２７ａに対して対称位置でかつ対称形状に形成しているため、パネル本体７ａを中心位置２６を中心に垂直面内で１８０度回転させて使用することもでき、ミラーパネル７の左側に浴槽４が位置するレイアウトの浴室１であっても、ミラーパネル７の右側に浴槽４が位置するレイアウトの浴室１であっても共に適用することができる。その結果、施工現場の状況やユーザーの要望等に的確に対応できて、汎用性に優れた浴室用のミラーパネル７を得ることができると共に、浴室１で使用されるミラーパネル７自体の部品点数を低減させてその製造を容易に行う等、コスト安価なミラーパネル７を得ることが可能になる。
【００３３】
さらに、ミラーパネル７が上下対称形状に形成されているため、例えばその側面３１ａ、３１ｂの角部３２を略ピン角に設定することができて、側面３１ａ、３１ｂに当接される壁パネル２ｃ、２ａとの間の隙間発生を抑えることができ、該隙間部分へのシール構造の廃止や簡略化を図ることができると共にその見栄えの向上をも図ることができる。
【００３４】
またさらに、パネル本体７ａに一体形成される例えば最下端の取付部１９ｅに水栓操作部９の取付機能が付与されているため、パネル本体７ａの付加価値を一層高めると共に、水栓操作部９を専用の取付部材を使用することなくパネル本体７ａに取り付けできて、その取付作業の効率化が図れると共に、水栓操作部９の取付部分の見栄えの向上を図ることもできる。特に、取付部１９ｅの上部に着脱可能な点検カバー３０を設けることにより、パネル本体７ａへの配管を容易に行ったりメンテナンス作業を一層容易に行うこと等も可能になる。
【００３５】
なお、上記実施形態における取付部１９ａ〜１９ｅの数（収納棚１３の棚板１４の数）や形状、ミラー８の形状、棚板１４、１５のパネル本体７ａへの支持構造等は一例であって、本発明に係わる各発明の要旨を逸脱しない範囲において適宜に変更することができる。
【００３６】
【発明の効果】
以上詳述したように、請求項１または２に記載の発明によれば、両側に張出部を有するパネル本体の窪み部に取付部が一体形成されているため、取付部にミラーを取り付けるだけで取付部の高さ分ミラーをパネル本体から浮いた状態で取り付けでき、専用の取付部材を使用することなくミラーをパネル本体に簡単に取り付けできると共に、ミラーの位置を洗い場の入浴者に近づいた位置に設定できて、その使い勝手の十分な向上を図ることができる。
【図面の簡単な説明】
【図１】  本発明に係わるミラーパネルを使用した浴室内部の斜視図
【図２】  同ミラーパネルの正面図
【図３】  同その断面図
【図４】  同そのパネル本体の斜視図
【図５】  同取付部の拡大斜視図
【図６】  同パネル本体の他の使用形態の斜視図
【符号の説明】
１・・・・・・・・・浴室
２ａ〜２ｄ・・・・・壁パネル
４・・・・・・・・・浴槽
５・・・・・・・・・洗い場
６・・・・・・・・・カウンター
７・・・・・・・・・ミラーパネル
７ａ・・・・・・・・パネル本体
８・・・・・・・・・ミラー
９・・・・・・・・・水栓操作部
９ａ・・・・・・・・吐水口
１０・・・・・・・・水栓本体
１３・・・・・・・・収納棚
１４、１５・・・・・棚板
１７ａ、１７ｂ・・・張出部
１８・・・・・・・・窪み部
１９ａ〜１９ｅ・・・取付部
２０・・・・・・・・ミラー取付板
２３ａ、２３ｂ・・・落下防止壁
２４ａ、２４ｂ・・・排水溝
２５ａ、２５ｂ・・・係合部
２６・・・・・・・・中心位置
２７・・・・・・・・空間
３０・・・・・・・・点検カバー
【図１】
0003727626.tif 000002
【図２】
0003727626.tif 000003
【図３】
0003727626.tif 000004
【図４】
0003727626.tif 000005
【図５】
0003727626.tif 000006
【図６】
0003727626.tif 000007